(57)【要約】【課題】簡単な構造で被支持構造物を支持することができる梱包用の支持体を提供する。【解決手段】筐体及び被支持構造体５０を有する製品を梱包するときに用いられる梱包用の支持体１００、２００である。梱包用の支持体１００、２００は、製品の部品６０を保持する保持部１１０、２１０を備えており、保持部１１０、２１０で部品６０を保持した状態で、筐体と該筐体の内部に取り付けられた被支持構造体５０との間に挿入される。これにより、梱包用の支持体１００、２００が被支持構造体５０を支持する。【選択図】図７
2020147340.tif 000002
【特許請求の範囲】
【請求項１】
筐体及び被支持構造体を有する製品を梱包するときに用いられる梱包用の支持体であって、
前記製品の部品を保持する保持部を備え、
前記保持部で前記部品を保持した状態で、前記筐体と該筐体の内部に取り付けられた前記被支持構造体との間に挿入され該被支持構造体を支持する、
梱包用の支持体。
【請求項２】
前記保持部には、前記部品が嵌まり該部品を貫通させた状態で保持する開口が形成されている、
請求項１に記載の梱包用の支持体。
【請求項３】
壁体が角筒状に配されて形成された断面が矩形の筒状体であり、
前記保持部は、相対する一対の前記壁体のそれぞれに形成されている、
請求項１又は２に記載の梱包用の支持体。
【請求項４】
壁体が筒状に配されて形成された筒状体であり、内部に前記部品を収容するための内部空間が形成されており、
前記保持部は、前記内部空間に収容された前記部品に当接して保持する前記壁体の部位を含む、
請求項１に記載の梱包用の支持体。
【請求項５】
前記筒状体の断面は三角形であり、
前記被支持構造体の縁部を支持する、
請求項４に記載の梱包用の支持体。
【請求項６】
段ボール製である、
請求項１〜５のいずれか１項に記載の梱包用の支持体。
【請求項７】
筐体及び被支持構造物を有する製品の梱包方法であって、
前記製品の部品を、支持体の保持部に保持させ、
前記筐体と該筐体の内部に取り付けられた前記被支持構造物との間に、前記部品を保持した前記支持体を挿入して前記被支持構造物を支持させ、
前記被支持構造物と前記支持体に保持された前記部品とを内部に収容した前記筐体を、梱包材で梱包する、
梱包方法。
【発明の詳細な説明】
【技術分野】
【０００１】
本発明は、製品を梱包する際に用いられる梱包用の支持体、及び梱包方法に関する。
【背景技術】
【０００２】
従来、製品を梱包する際に部品と部品との間に支持体を介在させて、輸送時にがたつきが生じないようにしている。
【０００３】
特許文献１は、段ボールによって角筒状に形成された支持体であって、剛性を高めるためにＸ状の補強片が内部に形成された支持体を開示している。
【先行技術文献】
【特許文献】
【０００４】
【特許文献１】特開平９−１０４４７６号公報
【発明の概要】
【発明が解決しようとする課題】
【０００５】
特許文献１に開示されている支持体は、内部のＸ状の補強片を含む全てを、一枚の段ボールによって形成している。そのため、段ボールの加工が複雑となり、支持体の製作及び組み立てに時間がかかるという問題がある。
【０００６】
本発明は、上記のような問題点を解決するためになされたものであり、簡単な構造で被支持構造物を支持することができる梱包用の支持体、及び梱包方法を提供することを目的としている。
【課題を解決するための手段】
【０００７】
本発明に係る梱包用の支持体は、筐体及び被支持構造体を有する製品を梱包するときに用いられる。梱包用の支持体は、製品の部品を保持する保持部を備え、保持部で部品を保持した状態で、筐体と該筐体の内部に取り付けられた被支持構造体との間に挿入される。このようにして、被支持構造体を梱包用の支持体で支持する。
【発明の効果】
【０００８】
本発明によれば、梱包用の支持体の剛性を、部品を保持することにより高めることができる。そのため、梱包用の支持体を補強するための構成を別途設ける必要がなく、簡単な構造で被支持構造物を支持することができる。
【図面の簡単な説明】
【０００９】
【図１】本発明の第１の実施の形態に係る梱包用の支持体を使用した製品の内部の状態を示した斜視図
【図２】制御箱を下方からみた斜視図
【図３】第１支持体の展開図
【図４】第１支持体の組立図
【図５】第２支持体の展開図
【図６】第２支持体の組立図
【図７】第１支持体及び第２支持体を設置する様子を示した斜視図
【図８】製品に設置された第１支持体及び第２支持体を示した側面図
【図９】製品を梱包した状態を示した斜視図
【図１０】使用状態にある製品を示した斜視図
【図１１】本発明の第２の実施の形態に係る梱包用の支持体を使用した製品の内部の状態を示した斜視図
【図１２】第３支持体の展開図
【図１３】第３支持体の組立図
【図１４】第３支持体を設置する様子を示した斜視図
【図１５】部品を保持した第３支持体が設置された様子を示した側面図
【発明を実施するための形態】
【００１０】
以下、この発明の好適な実施の形態に係る梱包用の支持体、及び梱包方法について、図面を参照しながら説明する。
【００１１】
（実施の形態１）
図１は、本発明の第１の実施の形態に係る梱包用の支持体１００、２００を使用した製品１の内部の状態を示した斜視図である。図２は、制御箱５０を下方からみた斜視図である。なお、図１では、側板３０及び天板４０を二点鎖線で示すことで、製品１の内部の構成を図示している。
【００１２】
製品１は、例えば空調システムの構成要素の１つである室外機であり、図１に示すように、各種の部品を収容するための筐体１０、制御箱５０、及び部品６０を有している。さらに、製品１は、熱交換器、冷媒配管、水配管、水を循環させるための循環ポンプ等の部品を有しているが、図面の複雑化を避けるためにこれらの図示は省略している。
【００１３】
筐体１０は、底部を構成する床板２０と、床板２０から立設された４枚のプレートを有する側板３０と、側板３０に囲われた空間の上方を覆う天板４０とが、ねじ、ビス等の公知の接続方法を用いて組み立てられる。
【００１４】
制御箱５０には、空調システムの動作を制御するための図示しない各種基板が収容されている。このように制御箱５０は、振動に配慮すべき基板を収容していることから、特に大きな振動が発生しやすい輸送時の振動対策が必要となる。そこで、制御箱５０は被支持構造物として、後述する第１支持体１００及び第２支持体２００に支持されることで、振動の抑制が図られている。
【００１５】
制御箱５０の下面５０ａには、図２に示すように、取付部５２が接続されている。取付部５２は、図１に示す筐体１０の床板２０に接触する接触面５２ａを有しており、接触面５２ａが床板２０に接触した状態でねじ止めされる。これにより、制御箱５０は、筐体１０の内部に取り付けられる。なお、制御箱５０からは、内部の各種基板につながった複数の図示しない配線が延出している。これらの配線の取回しの容易さ、及び制御箱５０の保守管理の容易さを考慮し、取付部５２の大きさは可能な限り小さくすることが好ましい。例えば、制御箱５０の下面５０ａの面積に対して、接触面５２ａの面積を１０％程度としている。
【００１６】
部品６０は、図１に示すように、例えばＹ型状のストレーナである。部品６０は、例えば真鍮製であり、後述するように製品１が使用状態にあるときには、筐体１０の外面に取り付けられる。一方、部品６０は、製品１の保管時及び輸送時には、図１に示すように筐体１０の内部に収容される。
【００１７】
図１に示すように、筐体１０内に収容された部品６０は、第１支持体１００及び第２支持体２００によって保持されている。部品６０を保持した第１支持体１００及び第２支持体２００は、制御箱５０と筐体１０の床板２０との間に介在している。これにより、第１支持体１００及び第２支持体２００は、制御箱５０を支持する。
【００１８】
次に、制御箱５０を支持する第１支持体１００及び第２支持体２００を、詳細に説明する。図３は、第１支持体１００の展開図、図４は第１支持体１００の組立図である。また、図５は第２支持体２００の展開図、図６は第２支持体２００の組立図である。
【００１９】
第１支持体１００は、例えば段ボール製で、図３に示すように加工された１枚の段ボール１２０を組み立てることにより形成される。差込片１０２が突出した長方形状の段ボール１２０には、短手方向に沿って４本の谷折り溝１０３が形成されている。谷折り溝１０３は段ボール１２０の表面に形成された溝であり、谷折り溝１０３で段ボール１２０を谷折りすることができる。４本の谷折り溝１０３で段ボール１２０を直角に折り曲げることにより、壁体である上壁１０１ａ、側壁１０１ｂ、下壁１０１ｃ、及び側壁１０１ｄと、上壁１０１ａに重なるラップ部１０１ｅとが形成される。そして、上壁１０１ａに形成された差込孔１１３に、ラップ部１０１ｅから突出した差込片１０２を差し込み、差し込んだ部分を折り曲げる。これにより、第１支持体１００は、図４に示す断面が長方形の角筒体に形成される。
【００２０】
また、側壁１０１ｄには、図３に示すように、矩形部１１１ａと矩形部１１１ａの中央から突出した三角形部１１２ａとを有する第１当接部１１５ａと、矩形部１１１ｂと矩形部１１１ｂの中央から突出した三角形部１１２ｂとを有する第２当接部１１５ｂとが形成されている。第１当接部１１５ａ及び第２当接部１１５ｂは、三角形部１１２ａの頂部と三角形部１１２ｂの頂部とが対向するように、矩形状の開口１１０ａの一部を塞ぐように配置されている。このように、矩形状の開口１１０ａと、矩形状の開口１１０ａの一部を塞ぐ第１当接部１１５ａ及び第２当接部１１５ｂとによって、挿入された部品６０を保持する保持部１１０が形成されている。また、側壁１０１ｂにも同様の保持部１１０が形成されている。これにより、図４に示すように、組み立てた第１支持体１００には、相対する一対の側壁１０１ｂ及び側壁１０１ｄに、保持部１１０が形成される。第１当接部１１５ａは、挿入される部品６０によって押圧されると、側壁１０１ｄとの接続部である基部１１５ｃで折り曲がり、塞いでいた開口１１０ａの一部を開放する。同様に、第２当接部１１５ｂは、挿入される部品６０によって押圧されると、側壁１０１ｄとの接続部である基部１１５ｄで折り曲がり、塞いでいた開口１１０ａの一部を開放する。
【００２１】
第２支持体２００は、例えば段ボール製で、図５に示すように加工された一枚の段ボール２２０を組み立てることにより形成される。差込片２０２が突出した長方形状の段ボール２２０には、短手方向に沿って４本の谷折り溝２０３が形成されている。谷折り溝２０３は段ボール２２０の表面に形成された溝であり、谷折り溝２０３で段ボール２２０を谷折りすることができる。そして４本の谷折り溝２０３で段ボール２２０を直角に折り曲げることにより、壁体である上壁２０１ａ、側壁２０１ｂ、下壁２０１ｃ、及び側壁２０１ｄと、上壁２０１ａに重なるラップ部２０１ｅとが形成される。そして、上壁２０１ａに形成された差込孔２１３に、ラップ部２０１ｅから突出した差込片２０２を差し込み、差し込んだ部分を折り曲げる。これにより、第２支持体２００は、図６に示す断面が長方形の角筒体に形成される。
【００２２】
また、側壁２０１ｄには、図５に示すように、基部２１０ｃで側壁２０１ｄとつながった半円環状の第１当接部２１１ａと、基部２１０ｄで側壁２０１ｄとつながった半円環状の第２当接部２１１ｂとが形成されている。第１当接部２１１ａ及び第２当接部２１１ｂは、円状の開口２１０ａの一部を塞ぐように配置されている。このように、円状の開口２１０ａと、円状の開口２１０ａの一部を塞ぐ第１当接部２１１ａ及び第２当接部２１１ｂとによって、挿入された部品６０を保持する保持部２１０が形成されている。また、側壁２０１ｂにも同様の保持部２１０が形成されている。これにより、図６に示すように、組み立てた第２支持体２００には、相対する一対の側壁２０１ｂ及び側壁２０１ｄに、保持部２１０が形成される。第１当接部２１１ａは、挿入される部品６０によって押圧されると基部２１０ｃで折り曲がり、塞いでいた開口２１０ａの一部を開放する。同様に、第２当接部２１１ｂは、挿入される部品６０によって押圧されると基部２１０ｄで折り曲がり、塞いでいた開口２１０ａの一部を開放する。
【００２３】
製品１を輸送及び保管のために梱包する際、まず、製品１の各種部品を図１に示す筐体１０内に収容する。はじめに、熱交換器、冷媒配管等の制御箱５０とは異なる部品を筐体１０内に収容する。これらの部品を収容する際、適宜公知の緩衝体を用いることで、輸送時のがたつきを抑制することができる。続いて、制御箱５０を筐体１０内に収容する。図７は、第１支持体１００及び第２支持体２００を設置する様子を示した斜視図である。図８は、製品１に設置された第１支持体１００及び第２支持体２００を示した側面図である。図９は、製品を梱包した状態を示した斜視図である。図１０は、使用状態にある製品を示した斜視図である。
【００２４】
制御箱５０を筐体１０内に収容する場合、まず図７の矢印Ｙ１で示すように、制御箱５０を床板２０に載置する。このとき、床板２０に接触させた状態で接触面５２ａをねじで締め付けることで、制御箱５０を取付部５２を介して床板２０に固定する。これにより、制御箱５０は、図１に示す筐体１０の内部に取り付けられる。このように、取付部５２を介して固定された制御箱５０の固有振動数は、２０Ｈｚ付近である。ただし、製品１の輸送時における振動の入力成分は０〜５０Ｈｚ程度であることから、共振を抑制するために制御箱５０の固有振動数を５０Ｈｚよりも高くすることが望ましい。そこで以下で説明するように、制御箱５０は、取付部５２によって固定されるのに加えて、第１支持体１００及び第２支持体２００によって支持される。
【００２５】
制御箱５０を取付部５２で固定した後、第１支持体１００及び第２支持体２００に部品６０を保持させる。図７の矢印Ｙ２で示すように、Ｙ字状の部品６０の２股に分かれた部位６０ａに、第１支持体１００に形成された２つの保持部１１０を通していく。これにより、図４に示す第１当接部１１５ａ及び第２当接部１１５ｂは、基部１１５ｃ、１１５ｄで折り曲げられて開口１１０ａが広げられる。やがて、部品６０は、２つの保持部１１０に嵌まり、図８に示すように、第１支持体１００を貫通した状態で保持される。このとき部品６０は、折り曲げられた図４に示す第１当接部１１５ａ及び第２当接部１１５ｂによって挟まれた状態にある。また図４に示す三角形部１１２ａ及び三角形部１１２ｂは、図７に示す部品６０の２股に分かれた管部の間に挿入されて部品６０の動きを規制する。そのため、第１支持体１００は、がたつかせることなく部品６０を保持することができる。
【００２６】
続いて、図７の矢印Ｙ３で示すように、Ｙ字状の部品６０の１本の管部を有する部位６０ｂに、第２支持体２００に形成された２つの保持部２１０を通していく。これにより、図６に示す第１当接部２１１ａ及び第２当接部２１１ｂは、基部２１０ｃ、２１０ｄで折り曲げられて開口２１０ａが広げられる。やがて、部品６０は、２つの保持部２１０に嵌まり、図８に示すように、第２支持体２００を貫通した状態で保持される。このとき部品６０は、折り曲げられた図６に示す第１当接部２１１ａ及び第２当接部２１１ｂによって外周面が挟まれた状態にある。そのため、第２支持体２００は、がたつかせることなく部品６０を保持することができる。
【００２７】
次に、部品６０を保持した第１支持体１００及び第２支持体２００を、図７の矢印Ｙ４で示すように制御箱５０と床板２０との間に挿入し、移動することがないように粘着テープで固定する。これによって、図８に示すように、第１支持体１００及び第２支持体２００は、制御箱５０と床板２０との間に介在して、制御箱５０を支持する。このようにして制御箱５０は、製品１が梱包される際、取付部５２により支持されるのに加えて、第１支持体１００及び第２支持体２００によって支持されることになる。そのため、制御箱５０の固有振動数を高めることができ、輸送時に発生する振動に共振するのを抑制することができる。
【００２８】
制御箱５０の支持を完了させたあと、各種部品を収容した筐体１０は、図９に示すように、外周面を梱包材である段ボール４０１で覆い、例えばポリプロピレン製のバンド４０２で木枠４００上に固定する。これにより、製品１の梱包が完了する。
【００２９】
製品を据え付ける場合には、図９に示す木枠４００、段ボール４０１、及びバンド４０２を取り外し、図１に示す筐体１０の内部に収容されていた各種部品を取り出す。その際、図８に示す部品６０を保持した第１支持体１００及び第２支持体２００を、制御箱５０と床板２０との間から取り外す。これにより、制御箱５０は、取付部５２のみによって支持されることになる。上述したように、取付部５２を介して固定された制御箱５０の固有振動数は２０Ｈｚ付近である。これに対し、製品１の使用中に発生する主な振動は、図示しない循環ポンプから発生するが、その振動成分は２０〜１２０Ｈｚであることが分かっている。しかしながら、このような使用中の振動は、輸送中に発生する振動と比べて十分に小さく、取付部５２のみで支持された制御箱５０を大きく振動させることはない。そのため、製品１の使用時には、制御箱５０は取付部５２のみによって支持する。
【００３０】
また、第１支持体１００及び第２支持体２００を取り外すことにより、制御箱５０の下方には、制御箱５０から延出した配線を取り回すのに十分な空間を形成することができる。そのため、製品１の設置作業を容易に行うことができる。なお、第１支持体１００及び第２支持体２００により保持されていた部品６０は、図１０に示すように、製品１の外面に取り付けられる。取り外したその他の部品も製品１に装着することで、製品１を使用できる状態とすることができる。
【００３１】
上記の実施の形態１に係る発明において、制御箱５０を支持する第１支持体１００及び第２支持体２００には、真鍮製の部品６０を貫通させている。真鍮は、第１支持体１００及び第２支持体２００を形成する段ボールよりも硬い。そのため、真鍮の部品６０を貫通させることで、軟らかい段ボールの部位を硬い真鍮の部位に置き換えたような効果が生じる。これにより、第１支持体１００及び第２支持体２００の剛性を高めることができ、制御箱５０を支持するための必要な剛性を確保することができる。
【００３２】
また、支持体の剛性を高めるために、剛性が高い部品６０が嵌まり保持されるだけの簡単な構成を第１支持体１００及び第２支持体２００に形成するだけでよい。例えば、図４に示す開口１１０ａを有する保持部１１０、及び図６に示す開口２１０ａを有する保持部２１０を形成するだけでよいので、第１支持体１００及び第２支持体２００の構造を簡単なものとすることができる。そのため、製造コストを抑制できるとともに、第１支持体１００及び第２支持体２００を素早く組み立てることができるため作業時間の短縮を図ることができる。
【００３３】
また、大きな振動が発生する輸送時の対策として、剛性を高めた第１支持体１００及び第２支持体２００を用いて制御箱５０を支持することができるので、大きな振動を発生させない運転時に制御箱５０を支持する取付部５２を小さなものとすることができる。そのため、制御箱５０から延出している配線の取回しを行いやすくなり、また制御箱５０の保守管理を容易に行うことができる。
【００３４】
また、第１支持体１００及び第２支持体２００は、製品１の運転に必要な部品６０を保持している。そのため、開梱して製品１を据え付ける際に、第１支持体１００及び第２支持体２００の取り忘れを防ぐことができる。これにより、製品１の運転時に、取り忘れた第１支持体１００及び第２支持体２００を介して、想定外の振動が制御箱５０に伝わることを防止することができる。
【００３５】
この発明は、上記実施の形態に限定されず、様々な変形及び応用が可能である。上記の形態では、制御箱の支持体として角筒状の２つの支持体を示し、部品を貫通させて保持する形態を説明したが、支持体の形状、及び支持体が部品を保持する態様については特に限定されるものではない。次に、支持体の形状と、部品の保持態様を異ならせた実施の形態について説明する。
【００３６】
（実施の形態２）
図１１は、本発明の第２の実施の形態に係る梱包用の支持体３００を使用した製品１の内部の状態を示した斜視図である。また、図１２は第３支持体３００の展開図、図１３は第３支持体３００の組立図である。なお、図１１においては、図１と同様に、側板３０及び天板４０を二点鎖線で示すことで、製品１の内部の構成を図示している。なお、上記実施の形態とは、支持体の構成が異なるだけである。そのため、以下では支持体の詳細について主に説明するとともに、共通する構成については同じ符号を付して詳細な説明は省略する。
【００３７】
第３支持体３００は、図１１に示すように、断面が三角形の筒状をしており、制御箱５０の縁部を支持する。第３支持体３００の内部には、後述するように、図１４に示す部品６０が収容されている。
【００３８】
第３支持体３００は、例えば段ボール製で、図１２に示すように加工された一枚の段ボール３２０を組み立てることにより形成される。差込片３０２が突出した矩形状の段ボール３２０には、３本の谷折り溝３０３が形成されている。谷折り溝３０３は段ボール３２０の表面に形成された溝であり、谷折り溝３０３で段ボール３２０を谷折りすることができる。そして３本の谷折り溝３０３で段ボール３２０を折り曲げることにより、壁体である斜壁３０１ａ、下壁３０１ｂ、及び斜壁３０１ｃと、斜壁３０１ａに重なるラップ部３０１ｄとが形成される。そして、ラップ部３０１ｄに形成された差込孔３１３に、斜壁３０１ａから突出した差込片３０２を差し込み、差し込んだ部分を折り曲げることで、第３支持体３００は、図１３に示すように断面が三角形の筒状体に形成される。
【００３９】
製品１を輸送及び保管のために梱包する際、まず、製品１の各種部品を図１１に示す筐体１０内に収容する。図１４は、第３支持体３００を設置する様子を示した斜視図である。また、図１５は、部品６０を保持した第３支持体３００が設置された様子を示した側面図である。
【００４０】
製品１を梱包する場合、まず、上記の実施の形態と同様に、熱交換器、冷媒配管等の制御箱５０とは異なる部品を図１１に示す筐体１０内に収容する。次に、図１４の矢印Ｙ５で示すように、制御箱５０を床板２０に載置し固定する。続いて、図１４の矢印Ｙ６で示すように、部品６０を第３支持体３００の内部に収容する。第３支持体３００の各寸法は、図１５に示すように部品６０をがたつかせることなく内部に収容することができる寸法に設定されている。これにより、部品６０は、斜壁３０１ａ、下壁３０１ｂ、及び斜壁３０１ｃの当接する部位により保持され、第３支持体３００の内部空間３０４に収容される。このように、斜壁３０１ａ、下壁３０１ｂ、及び斜壁３０１ｃの部品６０と当接する部位が、部品６０を保持する保持部３１０を形成する。このように第３支持体３００は、内部空間３０４に硬い真鍮製の部品６０を収容することで剛性を高めることができる。
【００４１】
部品６０を保持した第３支持体３００は、図１４の矢印Ｙ７で示すように、床板２０に沿ってスライドさせて、斜壁３０１ｃを制御箱５０の縁部５０ｂに当接させる。そして、第３支持体３００が移動することがないように粘着テープで固定する。これにより、第３支持体３００で、制御箱５０を支持する。
【００４２】
このように実施の形態２に係る発明において、軟らかい段ボール製の第３支持体３００の内部空間３０４に、硬い真鍮製の部品６０を収容することで、第３支持体３００の剛性を高めることができる。これにより第３支持体３００に制御箱５０を支持するために必要な剛性を確保することができる。
【００４３】
また、第３支持体３００の剛性を高めるために、第３支持体３００を断面が三角形の筒状体となるように形成して、剛性が高い部品６０を収容することができる内部空間３０４を形成すればよく、複雑な構造を必要としない。そのため、製造コストを抑制できるとともに、第３支持体３００を素早く組み立てることができ、作業時間の短縮を図ることができる。
【００４４】
また、部品６０を保持した１つの第３支持体３００で制御箱５０を支持することができるので、支持体を複数準備する必要がない。そのため、コスト及び作業時間の低減を図ることができる。
【００４５】
また、第３支持体３００の断面を三角形状とすることにより、床板２０に沿ってスライドさせることでテーパ状の斜壁３０１ｃを制御箱５０の下方に挿入することができる。さらに第３支持体３００をスライドさせて押し込むことで、斜壁３０１ｃで制御箱５０の縁部５０ｂを支持することができる。このような簡単な作業で、第３支持体３００による支持を実現することができる。
【００４６】
なお、上記の実施の形態では、部品６０を貫通させて保持する支持体として、第１支持体１００と第２支持体２００との２つの支持体を使用する場合について説明した。しかしながら、使用する支持体は２つに限定されず、１つだけ使用してもよいし、３つ以上使用してもよい。１つの支持体を使用する場合には、例えば図４に示す側壁１０１ｂと側壁１０１ｄとを、大きく間隔をあけた形状の支持体を用いてもよい。これにより、支持体と被支持構造体との接触面積を大きくとることができ、支持体を安定した姿勢で設置することができる。また、それぞれが１つの部品を保持した複数の支持体によって、被支持構造体を支持する構成としてもよい。
【００４７】
また、支持体に形成された保持部の形態は、図４に示す保持部１１０の形態、及び図６に示す保持部２１０の形態のものに限定されない。また、保持する部品の形状によっても適宜異なる形態のものを採用することができる。例えば、円柱状の部品を保持するのであれば、部品の外形と合致する円状の開口のみが形成された保持部であってもよい。あるいは、円状の開口の縁部にゴムを設置して、ゴムを拡径させたところに部品を挿入して保持させる形態であってもよい。
【００４８】
また、部品６０を収容する第３支持体３００は、三角筒状であると説明したが、他の形状としてもよい。例えば、断面が矩形の筒状体として、矩形状の内部空間に部品を収容し保持してもよい。このように、支持体が矩形状の場合には、スライドさせて制御箱５０の縁部５０ｂを支持させることが難しいことから、制御箱５０と床板２０との間に支持体を配置して制御箱５０を支持すればよい。
【００４９】
また、第３支持体３００は、図１３に示すように両端部が開放されたままの筒状体として図示したが、両端部に蓋を設けて部品が外部へ抜け出てしまうのを防止することができる構成としてもよい。このように両端部の蓋を閉めることで全体の形状として筒状体ではなくなる。しかしながら、両端部を除いた部品を保持する部分をみれば筒状体の形状であることから、蓋を設けた構造体であったとしても、少なくとも一部に筒状体を含んでいる。
【００５０】
また、支持体は、一枚の段ボールから形成されると説明したが、壁体ごとに分離した段ボールを筒状に配して支持体を形成してもよいし、複数の壁体を含む段ボールを組み合わせて支持体を形成してもよい。
【００５１】
また、支持体は、段ボール製であると説明したが、他の材料から形成してもよい。例えば、ゴム製、発泡スチロール製、合成樹脂製等としてもよい。これらの材料製の支持体に、部品を貫通させて保持する保持部を形成したり、内部に収容空間を形成して部品を保持する保持部を形成したりすればよい。
【００５２】
また、上記実施の形態では、軟らかい段ボール製の支持体を、硬い真鍮製の部品によって剛性を高める場合について説明したが、部品の材料は支持体の材料よりも硬いものに限定されるものではない。例えば、部品の材料の硬さが、支持体の材料の硬さ以下であったとしても、部品が中実の形状であれば、部品を保持した支持体の剛性を高めることが可能である。このように、支持体の剛性を高められるか否かは、材料の硬軟だけでなく、部品の形状も考慮して決定される。
【００５３】
なお、上記の実施の形態では、製品が空調システムの室外機として説明したが、その他の製品についても本発明を適用できることは言うまでもない。当然に本発明を適用する製品が異なれば、支持体によって支持する被支持構造物及び支持体が保持する部品も上記実施の形態のものとは異なる。
【符号の説明】
【００５４】
１  製品、１０  筐体、２０  床板、３０  側板、４０  天板、５０  制御箱、５０ａ  下面、５０ｂ  縁部、５２  取付部、５２ａ  接触面、６０  部品、６０ａ  部位、６０ｂ  部位、１００  第１支持体、１０１ａ  上壁、１０１ｂ  側壁、１０１ｃ  下壁、１０１ｄ  側壁、１０１ｅ  ラップ部、１０２  差込片、１０３  谷折り溝、１１０  保持部、１１０ａ  開口、１１１ａ，１１１ｂ  矩形部、１１２ａ，１１２ｂ  三角形部、１１３  差込孔、１１５ａ  第１当接部、１１５ｂ  第２当接部、１１５ｃ，１１５ｄ  基部、１２０  段ボール、２００  第２支持体、２０１ａ  上壁、２０１ｂ  側壁、２０１ｃ  下壁、２０１ｄ  側壁、２０１ｅ  ラップ部、２０２  差込片、２０３  谷折り溝、２１０  保持部、２１０ａ  開口、２１０ｃ，２１０ｄ  基部、２１１ａ  第１当接部、２１１ｂ  第２当接部、２１３  差込孔、２２０  段ボール、３００  第３支持体、３０１ａ  斜壁、３０１ｂ  下壁、３０１ｃ  斜壁、３０１ｄ  ラップ部、３０２  差込片、３０３  谷折り溝、３０４  内部空間、３１０  保持部、３１３  差込孔、３２０  段ボール、４００  木枠、４０１  段ボール、４０２  バンド
【図１】
2020147340.tif 000003
【図２】
2020147340.tif 000004
【図３】
2020147340.tif 000005
【図４】
2020147340.tif 000006
【図５】
2020147340.tif 000007
【図６】
2020147340.tif 000008
【図７】
2020147340.tif 000009
【図８】
2020147340.tif 000010
【図９】
2020147340.tif 000011
【図１０】
2020147340.tif 000012
【図１１】
2020147340.tif 000013
【図１２】
2020147340.tif 000014
【図１３】
2020147340.tif 000015
【図１４】
2020147340.tif 000016
【図１５】
2020147340.tif 000017